(57)【特許請求の範囲】
【請求項１】
遊技盤の背面を当接支持する遊技盤支持面が形成されたセット保持枠に、保持具および固定装置が設けられ、遊技盤の一方の側端部を保持具で保持すると共に他方の側端部を固定装置で固定支持することで、該遊技盤が着脱自在にセット可能とされたパチンコ遊技機において、
前記保持具は、前記セット保持枠における遊技盤支持面と交差する一方の側壁面に取付けられる枢支部材と、この枢支部材に回動自在にヒンジ接続した規制部材とからなり、更に前記規制部材は、Ｌ字状に交差する第１規制面と第２規制面とを備え、前記遊技盤の一方の側端面を前記規制部材の第１規制面に押し当てた状態で、該遊技盤を前記セット保持枠に向けて回動することで、該遊技盤の一方の側端部を前記第２規制面と該セット保持枠の遊技盤支持面とで挟持し得るよう構成され、
前記遊技盤の一方の側端面における前記第１規制面に当接しない位置に第１突部が設けられると共に、該遊技盤の他方の側端面に外方へ突出する第２突部が設けられ、
前記第１突部は、遊技盤の一方の側端面に沿って前後方向へ延在すると共に前端部を支点として該一方の側端面と交差する方向へ弾性変形し得る弾性片と、該弾性片の後端に設けられて外側方へ突出する係止部とを有し、該遊技盤をセット保持枠にセットした際に前記係止部がセット保持枠の前記一方の側壁面に当接して前記弾性片が弾性変形するよう構成され、
前記第２突部は、突出端に形成されて遊技盤をセット保持枠にセットした際に該セット保持枠の前記一方の側壁面に対向する他方の側壁面に当接する当接面と、該当接面の後端から後方に向かうにつれて前記他方の側端面に近接するよう傾斜する傾斜面とを有し、該遊技盤をセット保持枠にセットする際に前記傾斜面にセット保持枠の他方の側壁面が当接して遊技盤を案内し得るよう構成した
ことを特徴とするパチンコ遊技機。
【請求項２】
前記第１突部および第２突部は、前記遊技盤の前面を構成するコーナー飾りの側端面に、夫々上下に離間して複数設けられる請求項１記載のパチンコ遊技機。
【発明の詳細な説明】
【技術分野】
【０００１】
この発明は、パチンコ遊技機に関し、更に詳細には、セット保持枠に保持具および固定装置が設けられ、遊技盤の一方の側端部を保持具で保持すると共に、他方の側端部を固定装置で固定支持することで、該遊技盤をセット保持枠に交換自在にセット可能としたパチンコ遊技機に関するものである。
【背景技術】
【０００２】
パチンコ遊技機に代表される遊技機では、機体の外郭をなす外枠に対して着脱および開閉自在に取付けられる中枠に、各種の遊技機構成部材が集約的に搭載されている。例えば、遊技機構成部材の１つである遊技盤に関しては、中枠の窓口裏側に位置するセット保持枠のセット口に対し、遊技面を前側に指向させた状態でセットされる。ここで、中枠(セット保持枠)への遊技盤の取付けとしては、特許文献１に示すように、遊技盤の一方の側面を中枠に当てた状態で、遊技盤の他方側の側部を中枠に対して押し込む(嵌め込む)ようにしたものがある。
【０００３】
すなわち、特許文献１のパチンコ遊技機は、中枠のセット保持枠に保持具および固定装置が設けられ、遊技盤をセット保持枠に取付ける際に、該遊技盤の一方の側端部を保持具で回動自在に保持するようになっている。この状態で、遊技盤をセット保持枠側へ回動させ、遊技盤の他方の側端部を固定装置によって固定支持することで、該遊技盤がセット保持枠に取付けられる。
【特許文献１】特開２００５−３０４５４８号公報
【発明の開示】
【発明が解決しようとする課題】
【０００４】
ところが、遊技盤の一方の側部を支点として回動させてセット保持枠に嵌め込む構成では、該セット保持枠への嵌め込みが円滑となるよう、遊技盤の両側端面とセット保持枠の内周面との間に若干のクリアランスを確保する必要がある。そのため、従来のパチンコ遊技機では、このクリアランスの範囲内で、中枠に対する遊技盤の固定位置が左右にズレてしまう難点があった。一方、発射装置から発射される遊技球の外レールに対する入射角度は、遊技盤の取付位置によって微妙に変化してしまうため、遊技盤の取付位置が遊技機毎にズレていると、遊技球の入射角度も対応的に異なってしまう問題が発生していた。
【０００５】
そこで本発明は、従来のパチンコ遊技機に内在する前記問題に鑑み、これを好適に解決するべく提案されたものであって、セット保持枠に対する遊技盤の取付位置を一定にし得るパチンコ遊技機を提供することを目的とする。
【課題を解決するための手段】
【０００６】
前記課題を克服し、所期の目的を達成するため、請求項１に係るパチンコ遊技機は、
遊技盤(D)の背面を当接支持する遊技盤支持面(12a)が形成されたセット保持枠(12)に、保持具(70)および固定装置(H)が設けられ、遊技盤(D)の一方の側端部(146)を保持具(70)で保持すると共に他方の側端部を固定装置(H)で固定支持することで、該遊技盤(D)が着脱自在にセット可能とされたパチンコ遊技機において、
前記保持具(70)は、前記セット保持枠(12)における遊技盤支持面(12a)と交差する一方の側壁面(12b)に取付けられる枢支部材(74)と、この枢支部材(74)に回動自在にヒンジ接続した規制部材(72)とからなり、更に前記規制部材(72)は、Ｌ字状に交差する第１規制面(76)と第２規制面(78)とを備え、前記遊技盤(D)の一方の側端面を前記規制部材(72)の第１規制面(76)に押し当てた状態で、該遊技盤(D)を前記セット保持枠(12)に向けて回動することで、該遊技盤(D)の一方の側端部(146)を前記第２規制面(78)と該セット保持枠(12)の遊技盤支持面(12a)とで挟持し得るよう構成され、
前記遊技盤(D)の一方の側端面における前記第１規制面(76)に当接しない位置に第１突部(148)が設けられると共に、該遊技盤(D)の他方の側端面に外方へ突出する第２突部(156)が設けられ、
前記第１突部(148)は、遊技盤(D)の一方の側端面に沿って前後方向へ延在すると共に前端部を支点として該一方の側端面と交差する方向へ弾性変形し得る弾性片(152)と、該弾性片(152)の後端に設けられて外側方へ突出する係止部(154)とを有し、該遊技盤(D)をセット保持枠(12)にセットした際に前記係止部(154)がセット保持枠(12)の前記一方の側壁面(12b)に当接して前記弾性片(152)が弾性変形するよう構成され、
前記第２突部(156)は、突出端に形成されて遊技盤(D)をセット保持枠(12)にセットした際に該セット保持枠(12)の前記一方の側壁面(12b)に対向する他方の側壁面(12c)に当接する当接面と、該当接面の後端から後方に向かうにつれて前記他方の側端面に近接するよう傾斜する傾斜面(158)とを有し、該遊技盤(D)をセット保持枠(12)にセットする際に前記傾斜面(158)にセット保持枠(12)の他方の側壁面(12c)が当接して遊技盤(D)を案内し得るよう構成したことを特徴とする。
請求項１の発明によれば、遊技盤の両側端面に第１突部および第２突部を設けたので、セット保持枠に対する遊技盤の左右方向の取付位置を一定にし得る。従って、遊技球の入射角度が遊技機毎にバラついてしまうのを抑制し得る。また、第１突部は弾性変形してセット保持枠に当接する構成としたので、遊技盤の寸法に多少の誤差があったとしても、第１突部が撓んで適正な位置に遊技盤を保持し得る。更に、第２突部に傾斜面を設けることで、遊技盤の他方の側端部をセット保持枠に対して円滑に押し込むことができ、セット保持枠に対する負荷を低減し得る。
【０００７】
請求項２に係るパチンコ遊技機では、前記第１突部(148)および第２突部(156)は、前記遊技盤(D)の前面を構成するコーナー飾り(142a,142b,142c)の側端面に、夫々上下に離間して複数設けられる。
請求項２の発明によれば、第１および第２突部を、夫々上下に離間して複数設けたので、遊技盤をセット保持枠に安定的に保持でき、該遊技盤が左右に傾いてしまうのを防止し得る。
【発明の効果】
【０００８】
本発明に係るパチンコ遊技機によれば、セット保持枠に対し遊技盤を適正な位置に取付けることができる。
【発明を実施するための最良の形態】
【０００９】
次に、本発明に係るパチンコ遊技機につき、好適な実施例を挙げて、添付図面を参照して以下に説明する。なお、実施例では、遊技機として、中枠の窓枠口内部に遊技球用の遊技盤がセットされた一般的なパチンコ遊技機の場合について説明する。また、以下の説明において、「前」、「後」、「左」、「右」とは、特に断りのない限り、図１に示すようにパチンコ遊技機を正面側から見た状態で指称する。
【実施例】
【００１０】
(パチンコ遊技機の概略説明)
図１は、前枠と、上の球受け皿とを外した状態で示すパチンコ遊技機Ｐの正面図である。実施例のパチンコ遊技機Ｐは、その基本的構成の概要として、縦長方形の外枠Ａの開口前面側に、各種の遊技盤用構成部材をセットする縦長方形の中枠Ｂが連結支持手段および施錠手段を利用して開閉および着脱が可能に組付けられている。そしてこの中枠Ｂの前面側に、遊技盤Ｄの透視保護窓である図示しないガラス扉を備えた前枠と、同じく図示しない上の球受け皿とが個々の連結支持手段等を利用して共に横開き形態で開閉可能に組付け整合される一方、中枠Ｂの下部に下の球受け皿Ｆおよび打球発射装置Ｇにおける打球操作部Ｇ１等が装着セットされた下セット板Ｉが開閉自在に設けられる。更に、中枠Ｂの裏側に各種の球経路および球処理・払出部等を備えた機構セット盤(図示せず)がセットされている。
【００１１】
(中枠)
前記中枠Ｂは、例えば全体が合成樹脂成形されたものが採用され、前記外枠Ａの開口前面域に整合する外形サイズに成形されて内側に正面縦長方形の窓枠口１１を開口した枠体１０と、この枠体１０の裏側に一体成形されて前記窓枠口１１の正面内部に臨む遊技盤用のセット口１３を開口したセット保持枠１２とが、前後に連設された内外二重枠形態とされている。また前記窓枠口１１は、前面側から出入れ(着脱)される遊技盤Ｄのセット面域および出入れ口ともされ、その下部面域内に上の球受け皿を開閉可能に組付けセットし得るようになっている。更に、中枠Ｂにおけるセット保持枠１２の下方には、後述するレール部材１４が収容される収容凹部１６が設けられると共に、該収容凹部１６の下方であって前記下セット板Ｉの後方に、前記打球発射装置Ｇの打球駆動部(図示せず)が格納されている。
【００１２】
前記収容凹部１６に配設されるレール部材１４は、断面略Ｍ字形で曲率半径を大きく設定した円弧状のレール部２０と、該レール部２０を前記収容凹部１６に臨む中枠Ｂに固定する固定板２２とからなり、該固定板２２の所要位置に穿設した通孔部２２ａを介してレール部２０が右側から左側に向けて上方傾斜した状態でネジ止めされる。ここで、前記レール部材１４は、前記レール部２０の傾斜下端部(打球発射位置)が前記収容凹部１６の右側位置に位置し、該レール部２０の傾斜上端部が収容凹部１６の略中央位置に臨むよう構成される。
【００１３】
そして、前記収容凹部１６の底面における前記レール部２０の打球発射位置と対応する位置には、上下に開口する第１の開口部２３が開設されて、該打球発射位置の下方に前記打球駆動部の打球杆(図示せず)が臨むと共に、該収容凹部１６の上面におけるレール部２０の傾斜上端部と対応する位置には、上下に開口する第２の開口部２４が開設されている。すなわち、前記第１の開口部２３を介して前記打球発射位置にある遊技球が打ち出され、前記レール部２０に沿って案内した遊技球が、前記第２の開口部２４を介して前記遊技盤Ｄの盤面に向けて発射されるようになっている。
【００１４】
(セット保持枠)
一方、前記窓枠口１１の下部内側において前記上の球受け皿に整合する位置に前記収容凹部１６が凹設された遊技補助盤１８が一体成形されており、この遊技補助盤１８の上端縁を基準にして前記セット口１３が前記セット保持枠１２に開口されている。そして、前記セット保持枠１２に保持具７０および固定装置Ｈが設けられ、前記遊技盤Ｄの左側の側端部(一方の側端部，以下、左側端部という)を保持具７０で保持すると共に、右側の側端部(他方の側端部，以下、右側端部という)を固定装置Ｈで固定支持することで、該遊技盤Ｄが前記セット口１３内に着脱自在にセットされる。
【００１５】
すなわち、前記遊技盤Ｄは、その背面が前記セット保持枠１２に形成された遊技盤支持面１２ａに当接すると共に、両側端面を該遊技盤支持面１２ａと交差する両壁面１２ｂ,１２ｃに整合した状態になっている。ここで、前記遊技盤支持面１２ａとは、前記セット保持枠１２において、前記セット口１３の開口縁をなす前面側に臨む面であって、前記遊技盤Ｄの背面に当接し、該遊技盤Ｄの後方への移動を規制する面を指す。また、前記遊技盤支持面１２ａと交差する両壁面(以下、左側壁面１２ｂおよび右側壁面１２ｃと云う)は、中枠Ｂにおいて前後に連設された枠体１０とセット保持枠１２とから内外二重枠形態となっている両枠１０,１２を一体的に連結する前後方向に延在する壁面であって、前記窓枠口１１を画成している壁面である。前記セット保持枠１２における左側壁面１２ｂには、前記遊技盤Ｄの左側端部を保持する複数(実施例では２個であるが、１個あるいは３個以上であってもよい)の保持具７０が配設され、該左側壁面１２ｂに対向する右側壁面１２ｃ側の遊技盤支持面１２ａには、該遊技盤Ｄの右側端部を固定支持する複数(２個)の固定装置Ｈが設けられている。
【００１６】
(遊技盤)
前記遊技盤Ｄは、図５〜図７に示すように、アクリル板やポリカーボネート板等の光透過性を備えた樹脂から構成される透明樹脂板１２６と、該透明樹脂板１２６の背面に組付けられる裏ユニット１２８とから基本的に構成され、全体として前記セット保持枠１２のセット口１３内に適合する略正方形に成形されている。透明樹脂板１２６は、中央部に大形の開口部１２６ａが開設され、該開口部１２６ａを介して図示しない図柄表示装置の液晶画面が前面に臨むようになっている。透明樹脂板１２６には、図５に示すように、その前面に遊技球を案内する内レール１３０と外レール１３４とが円弧状に配設され、両レール１３０,１３４が囲う内部領域が所要のゲームを展開し得る遊技領域１３６とされている。この遊技領域１３６には、複数の遊技釘が設けられると共に、始動入賞装置１３６ａや特別入賞装置１３６ｂ、装飾部材１３６ｃ等の役物が設けられている。また、透明樹脂板１２６の下部には、前記内レール１３０および外レール１３４の両下端部１３０ａ,１３４ａによって上下に開放する第３の開口部１３８が形成されている。この第３の開口部１３８は、前記中枠Ｂの第２の開口部２４と略同一の開口寸法で開口しており、遊技盤Ｄをセット保持枠１２に嵌め込んだ際に、第３の開口部１３８および第２の開口部２４が整合して、打球発射装置Ｇから発射された遊技球が遊技盤Ｄ内へ流入するのを許容するようになっている。
【００１７】
前記透明樹脂板１２６の表面における外レール１３４の外側の領域には、当該領域を前面から覆うコーナー飾り１４２が設けられている。このコーナー飾り１４２は、図５に示すように、左上側の第１飾り１４２ａ、左下側の第２飾り１４２ｂおよび右側の第３飾り１４２ｃから構成され、各第１〜第３飾り１４２ａ,１４２ｂ,１４２ｃは、前記遊技領域１３６側に臨む内周面が前記外レール１３４に沿って円弧状に湾曲している。また、第１飾り１４２ａの左側縁部に切欠部１４４が設けられ、該切欠部１４４を介して前記透明樹脂板１２６の左側端部が前面に臨んでいる。同様に、第２飾り１４２ｂの左側縁部にも切欠部１４４が設けられ、透明樹脂板１２６の左側端部が前面に臨んでいる。すなわち、これら両切欠部１４４,１４４から臨む透明樹脂板１２６の左側端部が被保持部１４６,１４６とされて、前記遊技盤Ｄをセット保持枠１２にセットする際に、前記保持具７０,７０が対応する上下の切欠部１４４,１４４に臨み、被保持部１４６,１４６を保持するようになっている。
【００１８】
前記第１飾り１４２ａの左側端面であって、前記切欠部１４４の下方(後述する第１規制面７６に当接しない位置)には、第１突部１４８が一体的に成形されている。この第１突部１４８は、図６に拡大して示すように、第１飾り１４２ａの後端縁から前側に切込まれた２つのスリット１５０,１５０間に形成される弾性片１５２と、該弾性片１５２の後端から左方(外方)に向けて突出する係止部１５４とから構成される。前記弾性片１５２は、遊技盤Ｄの左右方向(内外方向)へ弾性変形し得るよう構成され、遊技盤Ｄをセット保持枠１２に嵌め込む際に、弾性片１５２が撓んで該遊技盤Ｄとセット保持枠１２とのクリアランスを吸収するべく機能する。また、前記係止部１５４は、遊技盤Ｄをセット保持枠１２に嵌め込んだ際に、該セット保持枠１２の前記左側壁面１２ｂに当接して右方に押圧され、前記弾性片１５２が弾性変形することで、該遊技盤Ｄを位置決め(左右方向への位置決め)するよう構成される。
【００１９】
前記第２飾り１４２ｂの左側端面であって、前記切欠部１４４の上方(第１規制面７６に当接しない位置)には、前記第１飾り１４２ａの第１突部１４８と同様な第１突部１４８が一体的に成形されている。すなわち、第１突部１４８は、第１飾り１４２ａおよび第２飾り１４２ｂの夫々に１つずつ設けられ、両者は遊技盤Ｄの左側端面に上下方向に離間して配置されている。第２飾り１４２ｂに設けられた第１突部１４８も、第１飾り１４２ａに設けられた第１突部１４８と同様に、弾性片１５２および係止部１５４から構成されて、遊技盤Ｄをセット保持枠１２に嵌め込んだ際に、両者のクリアランスを吸収しつつ遊技盤Ｄを位置決め(左右方向の位置決め)するよう構成される。
【００２０】
前記第３飾り１４２ｃの右側端面には、外方(右方)へ向けて突出する第２突部１５６,１５６が上下に離間して２つ設けられている。すなわち、前記第２突部１５６,１５６は、遊技盤Ｄの右側端面に上下方向に離間して配置されている。各第２突部１５６は、図７に示すように、遊技盤Ｄの背面側に向かうにつれて遊技盤Ｄの右側端面に近接するよう傾斜する傾斜面１５８を備えている。そして第２突部１５６は、遊技盤Ｄをセット保持枠１２にセットした際に、該セット保持枠１２の前記右側壁面１２ｃに当接して、遊技盤Ｄを位置決めするよう構成される。また、第２突部１５６の裏側に傾斜面１５８を設けることで、遊技盤Ｄをセット保持枠１２に嵌め込む際に、第２突部１５６が前記右側壁面１２ｃに引っ掛かるのを防止して、遊技盤Ｄを滑らかにセット保持枠１２に嵌め込み得るようになっている。なお、遊技盤Ｄの右側における上下の隅には、図５に示す如く、斜状に形成された斜状隅部３３,３３が形成され、遊技盤Ｄにおける斜状隅部３３,３３の近傍の部位は、前記固定装置Ｈの施錠具５５(後述)に係合される係合受部３２,３２として機能する。
【００２１】
(保持具)
次に、前記パチンコ遊技機Ｐにおいて、前記中枠Ｂにおける窓枠口１１の裏側に位置するセット保持枠１２のセット口１３に対してセットした遊技盤Ｄの左側端部を保持するための保持具７０につき説明する。図２または図４に示すように、前記保持具７０は、例えば金属製の部材であって、前記セット保持枠１２の左側壁面１２ｂに取付けられる枢支部材７４と、この枢支部材７４に回動自在にヒンジ接続した規制部材７２とから構成されている。前記保持具７０は、前記セット保持枠１２の左側壁面１２ｂに、上下方向に所要間隔離間されて２箇所に設けられると共に、夫々が窓枠口１１の上部または下部に近接する部位に配設されている。すなわち、保持具７０,７０は、前記遊技盤Ｄを取付けた際に、該遊技盤Ｄの遊技領域１３６に干渉しない部位であって、前記第１飾り１４２ａおよび第２飾り１４２ｂの切欠部１４４,１４４に臨むよう設けられている。
【００２２】
(枢支部材)
前記枢支部材７４は、図３に示すように、矩形状の板状体における両端縁を同一方向に折曲したコの字状に形成され、対向する両端縁の折曲部７４ａ,７４ａには、規制部材７２を枢支する後述する支軸７３の挿通を許容する軸孔７４ｂ,７４ｂが同一軸線上に夫々開設されている。前記枢支部材７４において、前記対向する折曲部７４ａ,７４ａに挟まれた中間部位には、前記セット保持枠１２の左側壁面１２ｂに固定するためビス等の固定手段が挿入される所要数(実施例では２箇所)の固定孔部７４ｃが開設されている。そして、前記枢支部材７４は、前記セット保持枠１２の左側壁面１２ｂに、中間部位を当接させて折曲部７４ａ,７４ａを前記セット口１３の内方に向けて延在させると共に、該折曲部７４ａ,７４ａが上下の関係で位置するよう配設される。
【００２３】
(規制部材)
前記規制部材７２は、矩形状の板状体における略中間部位を略９０度で折曲してＬ字状に形成し、その内方に臨む面がＬ字状に交差する第１規制面７６と第２規制面７８となっている。前記第１規制面７６と第２規制面７８とが交差する線と直交する両端縁には、外方に延出した一対のヒンジ片７２ａ,７２ａが一体的に折曲形成され、該ヒンジ片７２ａ,７２ａに支軸７３の挿通を許容する通孔７２ｂ,７２ｂが同一軸線上に開設されている。また、前記第１規制面７６の延出寸法は、前記遊技盤Ｄの厚さより短尺になるよう設定されている。これに対し、第２規制面７８の延出寸法および前記規制部材７２の幅寸法(前記第１規制面７６と第２規制面７８とが交差する線と直交する線の延在方向)は、前記遊技盤Ｄの遊技領域１３６に干渉せず、かつ該遊技盤Ｄの側端部を有効に挟持し得る所要の寸法に設定されている。更に、前記規制部材７２の第２規制面７８における前記セット口１３の内方に臨む端縁７８ａが、外方(前面側)に向けて折曲形成されている。
【００２４】
(支軸)
前記枢支部材７４における折曲部７４ａ,７４ａを挟持するように位置決めした前記ヒンジ片７２ａ,７２ａの通孔７２ｂ,７２ｂと、該折曲部７４ａ,７４ａの軸孔７４ｂ,７４ｂを整合させた状態で支軸７３が挿通され、該枢支部材７４に対して規制部材７２が回動可能になっている。前記支軸７３は、前記通孔７２ｂおよび軸孔７４ｂと略同一寸法に設定された円柱状の部材であって、一端に前記通孔７２ｂおよび軸孔７４ｂより大径に設定された掛止部７３ａが形成されている。そして、前記両孔７２ｂ,７４ｂに挿通された支軸７３は、掛止部７３ａが一方のヒンジ片７２ａに掛止されると共に、他方のヒンジ片７２ａから突き出た他端に係止片７５を嵌合することで軸方向の移動が規制されている。
【００２５】
(付勢手段)
前記規制部材７２は、付勢手段８０により、常には前記第２規制面７８が前記セット保持枠１２の遊技盤支持面１２ａから離間する方向に向けて付勢されると共に、第１規制面７６も左側壁面１２ｂから離間するよう構成されている。前記付勢手段８０は、前記枢支部材７４と規制部材７２との間に介挿された所要の弾力性を有する弾性部材であって、実施例では前記支軸７３に外挿されたコイルバネが採用されている。なお、前記付勢手段８０としては、コイルバネに限らず、所要の弾力性を有するものであれば、例えば板バネ等の他の弾性部材を採用し得る。
【００２６】
(保持具の取付け)
図１〜図３に示すように、前記保持具７０は、前記支軸７３が上下方向に延在するように配設され、前記規制部材７２が前記付勢手段８０により、常には前記第２規制面７８がセット保持枠１２の遊技盤支持面１２ａから離間する方向に向けて付勢され、該規制部材７２を後方(セット保持枠１２の遊技盤支持面１２ａ側)に向けて回動するに伴い、該第２規制面７８が遊技盤支持面１２ａに対向する位置に変移するようになっている。これに対し、前記付勢手段８０により前面側(遊技盤Ｄの挿入方向)に前記第１規制面７６が常には臨み、前記規制部材７２を後方に回動するに伴い、該第１規制面７６がセット口１３の内方に臨む位置(左側壁面１２ｂに対向する位置)に変移するようになっている。そして、前記規制部材７２は、通常使用状態(セット保持枠１２に遊技盤Ｄをセットした状態)では、前記第１規制面７６は、遊技盤Ｄの左側端面に当接して前記セット保持枠１２の左側壁面１２ｂと対向して延在すると共に、第２規制面７８は遊技盤Ｄの盤面を保持しつつ遊技盤支持面１２ａと対向している。なお、対向した前記第２規制面７８と遊技盤支持面１２ａとの間隔は、前記遊技盤Ｄの厚さと略同一寸法か、僅かに短くなるよう設定され、両者７８,１２ａとの間で遊技盤Ｄを確実に挟持し得るようにしてある。
【００２７】
なお、遊技盤Ｄの右側端部を固定する固定装置Ｈとしては、従来公知の固定手段が適宜採用し得る。実施例では、前記第２突部１５６に干渉しない位置であるセット保持枠１２における右側壁面１２ｃの上下の偶角部に形成した斜状壁部２７に固定装置Ｈが夫々配設されている。例えば、実施例で採用される固定装置Ｈは、各斜状壁部２７に設けた保持部４０と、この保持部４０に対して着脱可能に嵌合セットされ、かつ回動可能に支持される施錠具５５とを備えている。そして、前記セット口１３にセットした遊技盤Ｄの前記係合受部３２に対し、前記施錠具５５を施錠位置まで回動操作することで、該施錠具５５が係合受部３２を係合保持して、遊技盤Ｄを起立状態で保持し得るよう構成されている。
【００２８】
(実施例の作用)
次に、実施例に係るパチンコ遊技機の作用について、以下詳細に説明する。
【００２９】
(保持具のセット)
実施例のパチンコ遊技機Ｐでは、前記セット保持枠１２における左側壁面１２ｂに上下方向に所要間隔離間して、上方または下方に夫々偏倚した位置に保持具７０,７０が配設されている。前記左側壁面１２ｂに固定された枢支部材７４に対して回動自在に軸支された規制部材７２は、遊技盤Ｄの挿入方向である前面側に向けて前記付勢手段８０により付勢されて、その第２規制面７８と遊技盤支持面１２ａとの間が広く開放されると共に、第１規制面７６が前面側に臨んでいる。先ず、前記遊技盤Ｄをセット口１３の下部に載置した状態で、前記保持具７０における規制部材７２の第２規制面７８と、前記セット保持枠１２の遊技盤支持面１２ａとの間に開放された空間より該遊技盤Ｄにおける前記被保持部１４６を挿入する。このとき、遊技盤Ｄの被保持部１４６を保持具７０に臨ませた状態において前記第１突部１４８,１４８は、上下の保持具７０,７０の間に位置し、該保持具７０,７０が第１突部１４８,１４８に干渉することはない。
【００３０】
次に、前記規制部材７２の第１規制面７６に前記被保持部１４６を当接させ、該遊技盤Ｄを後方(セット保持枠１２の遊技盤支持面１２ａ側)に保持具７０を支点として回動させるにつれて、該規制部材７２は前記支軸７３を支点として回動する。そして、前記遊技盤Ｄの背面に、前記セット保持枠１２の遊技盤支持面１２ａが当接することで、回動が規制されると共に、該遊技盤支持面１２ａと第２規制面７８とで、透明樹脂板１２６の被保持部１４６が挟持された状態で保持され、遊技盤Ｄ全体は窓枠口１１に整合される。このとき、遊技盤Ｄの右側端部がセット保持枠１２の右側壁面１２ｃの内側を通過する際に、前記第２突部１５６の傾斜面１５８によって該右側壁面１２ｃに案内され、第２突部１５６が右側壁面１２ｃに引っ掛かってしまうことはない。
【００３１】
そして、遊技盤Ｄの全体がセット口１３に嵌め込まれることで、上下の第１突部１４８,１４８が弾性変形しつつセット保持枠１２の左側壁面１２ｂに当接する。すなわち、第１突部１４８の係止部１５４がセット保持枠１２の左側壁面１２ｂによって右方へ押圧されることで前記弾性片１５２が撓み、これにより、前記遊技盤Ｄおよびセット保持枠１２のクリアランスを吸収する。これと同時に、遊技盤Ｄの右側端部については、上下の第２突部１５６,１５６がセット保持枠１２の右側壁面１２ｃに当接し、該遊技盤Ｄは、第１,第２突部１４８,１５６によって左右方向への位置決めがなされ、セット保持枠１２に対して適正な位置に保持される。そして、前記固定装置Ｈの施錠具５５を所要の施錠位置まで回動させることで、前記遊技盤Ｄの係合受部３２が該施錠具５５に係合保持されて、該遊技盤Ｄのセット口１３に対するセットが完了する。
【００３２】
このように、実施例に係るパチンコ遊技機Ｐによれば、遊技盤Ｄを常に適正位置に保持し得るので、該遊技盤Ｄの下部に設けた第３の開口部１３８が前記第２の開口部２４に対して的確に整合される。従って、前記打球発射装置Ｇから発射されて前記レール部材１４に案内された遊技球は、常に一定の入射角度で第３の開口部１３８から遊技盤Ｄに入射される。すなわち、セット保持枠１２に対する遊技盤Ｄの左右の取付位置が一定となることで、遊技球の入射角度がパチンコ遊技機毎にバラついてしまうのを抑制することができる。また、前述のように、第１突部１４８は、弾性変形してセット保持枠１２に当接する構成としたので、仮に遊技盤Ｄの寸法に多少の誤差があったとしても、第１突部１４８が撓んでその誤差を解消し、遊技盤Ｄを一定の位置で支持し得る。特に、遊技盤Ｄが基準寸法よりも大きい場合、遊技盤Ｄの側端面から更に外方に突出する突起を設ければ、セット保持枠１２に遊技盤Ｄをセットし得なくなる事態も想定される。しかるに、実施例では、第１突部１４８を弾性変形可能とすることで、遊技盤Ｄを嵌め込む際に第１突部１４８が内方(右方)へ撓み、スペース的な余裕が確保されるので、基準よりも若干大きな遊技盤Ｄであってもセット可能とし得る。また、第１突部１４８および第２突部１５６を、夫々上下に離間して２つずつ設けたので、遊技盤Ｄを計４カ所で支持することができ、該遊技盤Ｄの上部側および下部側の対応する部位を左右方向に一致し得る。
【００３３】
なお、前記保持具７０の規制部材７２は、前記セット保持枠１２の左側壁面１２ｂに固定された枢支部材７４に対して回動自在に取付けられているため、該規制部材７２のＬ字状に交差する第１規制面７６および第２規制面７８を、遊技盤Ｄの挿入側である前面側に向くように回動することで、第２規制面７８とセット保持枠１２の遊技盤支持面１２ａとの間に広い遊技盤Ｄの挿入スペースを画成することができる。このように、前記遊技盤Ｄの挿入スペースが広くなることで、遊技盤Ｄの取付けに際し、保持具７０に対する遊技盤Ｄの位置決めが容易になると共に、遊技盤Ｄが保持具７０の規制部材７２と摺擦することによる傷付きの可能性が低減される。そして、前記挿入スペースから挿入した遊技盤Ｄの側端面(被保持部１４６)を第１規制面７６に当接したもとで、該遊技盤Ｄをセット保持枠１２側に回動することで規制部材７２も一体的に回動し、該遊技盤Ｄはセット保持枠１２の遊技盤支持面１２ａに当接することで回動が規制され、該支持面１２ａと第２規制面７８とで該遊技盤Ｄの側端部が挟持される。
【００３４】
すなわち、前記遊技盤Ｄは、前記保持具７０の第１規制面７６に被保持部１４６を当接した状態で回動することで、窓枠口１１に整合するため、該遊技盤Ｄの位置決めの手間を軽減することができる。また、前記規制部材７２の第２規制面７８とセット保持枠１２の遊技盤支持面１２ａとで遊技盤Ｄの被保持部１４６を挟持する構成であるので、第２規制面７８を遊技盤Ｄの左側端部の全面に亘って当接する寸法とする必要は無く、保持具７０を小型化し得ると共に、軽量化を図ることができる。そして、前記保持具７０の小型化により、前記遊技領域１３６を画成する前記略円形状の外レール１３４を大きくしても、該外レール１３４と干渉しない位置に保持具７０を配設することができ、遊技領域１３６を広くし得る。
【００３５】
前記遊技盤Ｄの取付けに際し、前記規制部材７２は、前記付勢手段８０により第２規制面７８がセット保持枠１２における遊技盤支持面１２ａから離間している状態になるから、第２規制面７８とセット保持枠１２の遊技盤支持面１２ａとの間に広い遊技盤Ｄの挿入スペースを開放し得ると共に、第１規制面７６が前面に臨む状態となるので、前記保持具７０に対して、遊技盤Ｄの挿入および位置決めをより容易に行なうことができ、遊技盤Ｄの傷付きの可能性もより低減される。
【００３６】
また、前記規制部材７２における第２規制面７８の端縁７８ａが、外方、すなわちセット保持枠１２の遊技盤支持面１２ａから離間する側に折曲形成されているため、挿入スペースが拡大して、遊技盤Ｄの取付け作業を更に容易に行ない得る利点がある。また、前記遊技盤Ｄを挿入スペースに挿入するに際し、第２規制面７８の端縁７８ａが遊技盤Ｄの端面に当たって傷付くのは抑制される。
【００３７】
次に、実施例で説明したパチンコ遊技機Ｐにおいて、中枠Ｂのセット保持枠１２に遊技盤Ｄの右側端部を固定するための前記固定装置Ｈの具体的な構成を、以下に説明する。前記固定装置Ｈは、セット保持枠１２における保持具７０が配設される左側壁面１２ｂと対向する各偶角部に形成した前記斜状壁部２７に夫々配設され、図８および図９に示すように、各斜状壁部２７に設けられた保持部４０と、この保持部４０に対して着脱可能に嵌合セットされ、かつ回動可能に支持される施錠具５５とを備えている。
【００３８】
(保持部)
前記保持部４０は、図８または図９に示すように、前記斜状壁部２７のセット口１３内方へ臨む４５度の傾斜端部２８に一体的に形成され、該セット口１３内に収容セットされた前記遊技盤Ｄにおける係合受部３２の裏側を係止し得る係着部４１と、前記施錠具５５を装着する軸孔口部４２とを有している。前記係着部４１は、夫々の斜状壁部２７の後端側に位置する円形の保持片４３と、傾斜端部２８上において保持片４３の前側に位置する軸支部４４とからなり、前後２段連設状態に形成されている。そして保持片４３の後側には、施錠具５５の回動支盤５７に対する有底円形状の嵌合座部４５が形成されている。一方前記軸孔口部４２は、前記保持片４３と軸支部４４間に亘りセット口１３の前後方向に延在する軸孔４６と、この軸孔４６からセット口１３の内方(傾斜端部２８に対して鉛直方向)へ開口した挿入口４７とにより正面Ｕ形に形成され、この挿入口４７を介して前記施錠具５５が係着部４１へ装着セットされる。
【００３９】
また斜状壁部２７の前面には、施錠具５５の解錠端位置を規制するための規制部４８が、該壁部２７に一体成形されている。この規制部４８は、前記軸孔口部４２の中心を基準にして円弧状に突出しており、施錠具５５における係合部６０に形成した係合突起６２に対する案内壁部４９と案内斜面５０および位置決め用の係合凹部５１が形成されている。
【００４０】
(施錠具)
前記施錠具５５は、実施に供される２個の全てが合成樹脂成形製であり、図８および図９に示すように、同一共通の形式に構成されている。すなわち各々の施錠具５５は、基本的な構成として、前記軸孔口部４２に回動可能に嵌合支持される軸部５６の後側に、前記係着部４１に支持される回動支盤５７を一体に形成すると共に、軸部５６の前側に、保持部４０の前側に係止し得る係止部５８と、指先操作可能な操作部５９と、前記遊技盤Ｄの係合受部３２前側に弾性的に係合し得る係合部６０とを一体的に形成している。
【００４１】
前記軸部５６は、セット口１３の深さおよび遊技盤Ｄの厚みと略同等の軸長に設定され、その前後中央部が適宜小径となっている。また係止部５８は、前記軸部５６よりも大径のボス状を呈しており、その先端面に六角形の操作孔６１が形成されており、図示しない六角レンチ等の回動操作器具を挿入して係合し得るようになっている。また操作部５９は、前記軸部５６の軸方向と直交方向に延在する摘み状を呈し、その長手方向の中央端面と前記係止部５８の円筒面とが連設されている。更に前記係合部６０は、前記操作部５９において、前記係止部５８に連接した端面とは反対の端面に形成され、その中央部に前記回動支盤５７側へ突出した係合突起６２を有している。
【００４２】
(遊技盤の係合部)
前記遊技盤Ｄにおける各々の係合受部３２については、図７に示すように、透明樹脂板１２６の各斜状隅部３３に凹状成形部３４が形成される一方、同成形部３４の前方であって前記第３飾り１４２ｃの前面に係合保持部材３７が設けられている。そして凹状成形部３４では、前記保持部４０の保持片４３に対する係止座口３５と、軸支部４４に対する逃し口３６とが形成されている。また係合保持部材３７は、逃し口３６の開口前面に位置を合わせて前記第３飾り１４２ｃに一体成形されており、その前面には、前記施錠具５５の前記係合突起６２に対する案内斜面３８および位置決め用の係合凹部３９が形成されている。
【００４３】
このように構成された固定装置Ｈでは、前記施錠具５５を対応の保持部４０に予め回動可能に定置セットされるものであり、この定置セットに係る態様について図１０〜図１２を参照して説明する。すなわち、先ず図１０に示すように、係止部５８および操作部５９を前向きにし、かつ係合部６０をセット口１３の中心部方向(軸孔口部４２から離間する側)に位置させたもとで、軸部５６を軸孔口部４２の挿入口４７から軸孔４６内に挿入して適宜押込む。これにより初期の段階では、施錠具５５全体が、保持部４０に対して若干傾いた状態に嵌合され、軸部５６が軸孔口部４２における挿入口４７および軸孔４６内に斜状に嵌挿される。
【００４４】
次いで、斜状に挿入された施錠具５５が押し込まれることにより、図１１に示すように、保持部４０に本嵌めセットされる。この状態においては、前記回動支盤５７が嵌合座部４５に整合され、軸部５６が軸孔口部４２の軸孔４６に嵌挿支持される。また、操作部５９が斜状壁部２７の前面に係合位置されると共に、係合部６０がセット口１３の中央側を指向している。
【００４５】
そして、本嵌めセット完了後においては、操作部５９に指を掛けて、施錠具５５を図１０における反時計方向へ回動操作する。これにより施錠具５５全体は、軸孔４６に整合した軸部５６および嵌合座部４５に整合した回動支盤５７を回動支点として、図１１に示すように反転する。これに伴い、係合部６０が斜状壁部２７の前面側に変移される過程において、係合突起６２が規制部４８の案内壁部４９および案内斜面５０に沿って移動し、係合凹部５１に突入係止する。これにより施錠具５５は、回動が制止されて解錠位置に待機した状態に定置セットされる。
【００４６】
なお各固定装置Ｈにおいては、施錠具５５の定置セットにあたり、係合部６０の係合突起６２が案内斜面５０上を移行する間、適度に弾性変形するようになっている。そして係合突起６２が、案内斜面５０との係合が解除されて係合凹部５１に突入した時点で解錠端として位置決め制止するので、保持部４０に対する施錠具５５の回動操作量(解錠角度範囲)および解錠終端点が自ずと決定される。ちなみに全ての施錠具５５は、同一方向へ回動操作される。
【００４７】
(施錠具のセット)
次に、具体的に説明した前記固定装置Ｈの作用について説明する。セット保持枠１２における保持具７０が配設される左側壁面１２ｂと対向する上下の各偶各部に形成した斜状壁部２７に夫々固定装置Ｈが配設されており、夫々の固定装置Ｈでは、遊技盤Ｄの設置に先立ち、前述した如く、保持部４０に施錠具５５を定置セットしておく。
【００４８】
(遊技盤のセット)
前述したように、遊技盤Ｄは、前記ガラス扉および上の球受け皿を共に全開したもとで、各保持具７０における規制部材７２に一方の側端部を保持させ、セット口１３内にセットする。これにより遊技盤Ｄは位置決めされると共に、夫々の係合受部３２の係止座口３５と保持部４０の保持片４３とが当接係合し、これにより起立状態で収容保持される。
【００４９】
次に、各固定装置Ｈの施錠具５５を、操作部５９に指先を掛けたもとで、時計方向(図１１において)へ回動操作する。これにより各施錠具５５では、前述した図１１の解錠位置から図１２に示す施錠位置に反転され、該施錠具５５の係合部６０が遊技盤Ｄの係合受部３２における係合保持部材３７の前面側に変移する過程で、係合突起６２は、案内斜面３８上を移動した後、最終的に係合凹部３９に突入係合する。そして、係合突起６２が係合凹部３９に係合すると、施錠具５５は回動が制止されて施錠位置に保持される。
【００５０】
なお各固定装置Ｈにおいては、施錠具５５の施錠操作にあたり、係合部６０の係合突起６２が案内斜面３８上を移行する間、適度に弾性変形するようになっている。そして係合突起６２が、案内斜面３８との係合が解除されて係合凹部３９に突入した時点で施錠端として位置決め制止するので、保持部４０に対する施錠具５５の施錠回動操作量および解錠終端点が自ずと決定される。
【００５１】
そして、全ての固定装置Ｈにおける施錠具５５が、回動操作により施錠位置に保持されると、遊技盤Ｄはセット保持枠１２のセット口１３内に適正姿勢で固定保持される。殊に、各施錠具５５では、保持部４０の保持片４３と遊技盤Ｄの係止座口３５とが整合当接した前提で、遊技盤Ｄの係合保持部材３７に対して係合部６０が適宜の弾性変形を伴って当接係合するようになり、遊技盤Ｄに対して適度の緊締力を作用させることになる。このため遊技盤Ｄは、常時この緊締力を受けて強固に保持され、振動や衝撃等に対して常に安定した状態で固定化保持される。
【００５２】
(遊技盤の取外し)
遊技盤Ｄの取外しに際しては、各固定装置Ｈにおいて、施錠具５５の操作部５９に指先を掛け、図１２において反時計方向へ回動操作することにより、当該の施錠具５５が図１１に示す解錠位置に反転保持されて、対応する遊技盤Ｄの係合受部３２を解放する。そして、全ての固定装置Ｈにおける施錠具５５が解錠位置に保持されることで、遊技盤Ｄはその全体が解錠された状態とされ、前面側に引き出すことで、各保持具７０の規制部材７２が回動し、セット口１３から起立状態のまま取出すことができ、枠体１０の窓枠口１１を介してパチンコ遊技機Ｐの前面側に取外すことができる。
【００５３】
このように遊技盤用の固定装置Ｈでは、中枠Ｂの前面側における簡単な手順操作により、遊技盤Ｄを手早く容易に着脱することができる。そして、遊技盤Ｄの着脱にあたり、各固定装置Ｈにおける施錠具５５では、操作部５９に対して指先を掛けて回動操作をなすことが可能であり、特別な回動操作器具(工具)を一切使用せずに遊技盤Ｄの施錠および解錠を行なうことができるから、遊技盤Ｄの着脱作業が極めて簡単で迅速になし得る。
【００５４】
なお、前記固定装置Ｈでは、施錠具５５の係止部５８に形成した操作孔６１に対応の回動操作器具(図示せず)を係合して、該回動操作器具で施錠具５５を回動操作することで遊技盤Ｄの施錠または解錠を行なうことも可能である。
【００５５】
また、固定装置Ｈが実施可能なパチンコ遊技機Ｐは、前記実施例に示した形態のパチンコ遊技機Ｐ、即ちセット保持枠１２が中枠Ｂに一体成形されたパチンコ遊技機Ｐに限定されるものではなく、セット保持枠１２が中枠Ｂとは別体に合成樹脂成形されて、該中枠Ｂに後付けされる形式のものであっても好適に実施し得る。また、施錠具５５に関しても、前記実施例に例示した形状のものに限定されるものではない。
【００５６】
また実施例では、第１突部１４８および第２突部１５６をコーナー飾り１４２(第１〜第３飾り１４２ａ,１４２ｂ,１４２ｃ)の側端面に設けたが、これら突部１４８,１５６を設ける箇所としては、実施例に限定される訳ではない。すなわち、遊技盤Ｄの両側端面において、前記保持具７０や固定装置Ｈと干渉しない位置であれば、例えば、透明樹脂板１２６の両側端面に第１,第２突部１４８,１５６を形成してもよい。また、実施例では、第１突部１４８および第２突部１５６をコーナー飾り１４２に一体成形したが、別体で成形した両突部１４８,１５６を、コーナー飾り１４２あるいは透明樹脂板１２６に取付けるようにしてもよい。
【図面の簡単な説明】
【００５７】
【図１】本発明の好適な実施例に係るパチンコ遊技機を前枠および上の球受け皿を取り外した状態で示す正面図である。
【図２】実施例に係るパチンコ遊技機を示す横断面図である。
【図３】実施例に係る遊技盤の保持具を示す概略斜視図である。
【図４】実施例に係る遊技盤の保持具を示す平面図である。
【図５】実施例に係る遊技盤を示す正面図である。
【図６】実施例に係る遊技盤を左側から見た斜視図である。
【図７】実施例に係る遊技盤を右側から見た斜視図である。
【図８】実施例の固定装置を構成する保持部および施錠具を前側から見た斜視図である。
【図９】実施例の固定装置を構成する保持部および施錠具を後側から見た斜視図である。
【図１０】保持部に対する施錠具の組付け態様を例示する正面図であって、施錠具を保持部に組付ける前の状態を示している。
【図１１】保持部に対する施錠具の組付け態様を例示する正面図であって、保持部にセットした施錠具を解錠位置に保持した状態を示している。
【図１２】施錠具による遊技盤の施錠保持状態を示す正面図である。
【符号の説明】
【００５８】
１２ セット保持枠，１２ａ 遊技盤支持面
１２ｂ 左側壁面(一方の側壁面)，１２ｃ 右側壁面(他方の側壁面)
７０ 保持具，７２ 規制部材，７４ 枢支部材，７６ 第１規制面
７８ 第２規制面，１４２ａ〜１４２ｃ 第１〜第３飾り(コーナー飾り)
１４６ 被保持部(一方の側端部)，１４８ 第１突部，１５６ 第２突部
１５８ 傾斜面，Ｐ パチンコ遊技機，Ｄ 遊技盤，Ｈ 固定装置
１５２ 弾性片，１５４ 係止部
【図１】
0005165988.tif 000002
【図２】
0005165988.tif 000003
【図３】
0005165988.tif 000004
【図４】
0005165988.tif 000005
【図５】
0005165988.tif 000006
【図６】
0005165988.tif 000007
【図７】
0005165988.tif 000008
【図８】
0005165988.tif 000009
【図９】
0005165988.tif 000010
【図１０】
0005165988.tif 000011
【図１１】
0005165988.tif 000012
【図１２】
0005165988.tif 000013